(57)【要約】【課題】            商用電源に同期したノイズや外乱光の少ないタイミングを自動的に検出して、発光素子の発光タイミングを自動調整できる、信頼性の高い媒体検出用フォトセンサを得る。【解決手段】        赤外線発光素子１３と赤外線受光素子１４を組合せて光学的に媒体の検出を行う媒体検出用フォトセンサについて、商用電源に同期したパルス信号を発生する電源同期パルス発生手段１６と、赤外線発光素子１３のオフ状態において赤外線受光素子１４の出力信号を連続的または断続的に確認し、商用電源の半周期または一周期の間でその出力信号の変動の少ないタイミングを決定するタイミング決定手段と、商用電源に同期したタイミング決定手段により決定されたタイミングで赤外線発光素子１３をパルス発光させる発光手段と、赤外線発光素子１３の発光タイミングに合せて赤外線受光素子１４の出力信号を確認し、フォトセンサの状態を判定する判定手段とをＣＰＵに備えさせる。【選択図】          図４
2005203909.tif 000002
【特許請求の範囲】
【請求項１】
発光素子と受光素子を組合せて光学的に媒体の検出を行う媒体検出用フォトセンサであって、商用電源に同期したパルス信号を発生する電源同期パルス発生手段と、発光素子オフ状態において受光素子の出力信号を連続的または断続的に確認し、前記商用電源の半周期または一周期の間でその出力信号の変動の少ないタイミングを決定するタイミング決定手段と、前記商用電源に同期した前記タイミング決定手段により決定されたタイミングで前記発光素子をパルス発光させる発光手段と、前記発光素子の発光タイミングに合せて前記受光素子の出力信号を確認し、フォトセンサの状態を判定する判定手段とを備えた媒体検出用フォトセンサ。
【請求項２】
請求項１に記載の媒体検出用フォトセンサであって、タイミング決定手段で決定される発光素子のパルス発光のタイミングを定期的に更新させるようにした媒体検出用フォトセンサ。
【請求項３】
請求項１又は請求項２のいずれかに記載の媒体検出用フォトセンサを、前面の開放した凹状空間として構成された手挿入部に、手が挿入されたことを検出する手段として搭載した手乾燥装置。
【発明の詳細な説明】
【技術分野】
【０００１】
本発明は、発光素子と受光素子を組合せて光学的に媒体の検出を行う媒体検出用フォトセンサ及び媒体検出用フォトセンサによって手を検出して動作する手乾燥装置に関するものである。
【背景技術】
【０００２】
媒体検出用フォトセンサは、商用電源に同期してパルス信号を所定のタイミングで発生させ、そのパルス信号により定まる点燈期間で発光素子を発光させるようにしている。パルス信号のタイミングは、商用電源で生じるノイズが少ないタイミングに合せて設定できるようにしている。なお、この種の従来技術としては、特許文献１に開示されているものがある。
【０００３】
【特許文献１】特開平６−２２４７２６号公報
【発明の開示】
【発明が解決しようとする課題】
【０００４】
従来の媒体検出用フォトセンサは、商用電源で生じるノイズが少ないタイミングに合せて設定できるようにしているが、このような媒体検出用フォトセンサを搭載した機器は、その設置される場所は様々で特定できないことが多い。電源に同期したノイズや外乱光は、その発生源により一定のタイミングで発生するが、発生源が異なればタイミングも異なる。従って、ノイズの発生源とタイミングを予め知ることはできず、設置の度にノイズのタイミングを確認して、ノイズの少ないタイミングに合せて発光素子の発光タイミングを設定しなければならず、大変手間がかかる。
【０００５】
本発明は、上記した従来の問題点を解決するためになされたもので、その課題とするところは、商用電源に同期したノイズや外乱光の少ないタイミングを自動的に検出して、発光素子の発光タイミングを自動調整できる、信頼性の高い媒体検出用フォトセンサを得ることであり、その媒体検出用フォトセンサを使って手の検出を行う手乾燥装置を提供することである。
【課題を解決するための手段】
【０００６】
上記課題を解決するために本発明は、発光素子と受光素子を組合せて光学的に媒体の検出を行う媒体検出用フォトセンサについて、商用電源に同期したパルス信号を発生する電源同期パルス発生手段と、発光素子オフ状態において受光素子の出力信号を連続的または断続的に確認し、商用電源の半周期または一周期の間でその出力信号の変動の少ないタイミングを決定するタイミング決定手段と、商用電源に同期したタイミング決定手段により決定されたタイミングで発光素子をパルス発光させる発光手段と、発光素子の発光タイミングに合せて受光素子の出力信号を確認し、フォトセンサの状態を判定する判定手段とを備える手段を採用する。
【０００７】
また、他の発明は、商用電源に同期したパルス信号を発生する電源同期パルス発生手段と、発光素子オフ状態において受光素子の出力信号を連続的または断続的に確認し、商用電源の半周期または一周期の間でその出力信号の変動の少ないタイミングを決定するタイミング決定手段と、商用電源に同期したタイミング決定手段により決定されたタイミングで発光素子をパルス発光させる発光手段と、発光素子の発光タイミングに合せて受光素子の出力信号を確認し、フォトセンサの状態を判定する判定手段とを備えた媒体検出用フォトセンサを、前面の開放した凹状空間として構成された手挿入部に、手が挿入されたことを検出する手段として搭載する手段を採用する。
【発明の効果】
【０００８】
この発明によれば、商用電源に同期したノイズや外乱光の少ないタイミングを自動的に検出し、発光素子の発光タイミングを自動調整するため、発光タイミングの設定に手間がかからず、信頼性の高い媒体検出用フォトセンサが得られる。
【０００９】
また、他の発明によれば、商用電源に同期したノイズや外乱光の少ないタイミングを自動的に検出し、発光素子の発光タイミングを自動調整する媒体検出用フォトセンサを、手挿入部に手が挿入されたことを検出する手段として用いたため、手乾燥装置の信頼性を高めることができる。
【発明を実施するための最良の形態】
【００１０】
本発明を実施した手乾燥装置は、前面の開放した凹状空間として構成された手挿入部を有する本体箱体に、高速空気流を生成する高圧空気流発生装置が組込まれている。高圧空気流発生装置で生成された高圧空気流は、手挿入部の上面に設けられたエアーノズルに導かれる。このエアーノズルから高速空気流を手挿入部内に照射して、手挿入部に入れた手に付着した水分を吹き飛ばし、手挿入部の下部の水受け部に設けられた排水口からドレン容器に溜めるようになっている。
【００１１】
手挿入部には、挿入された媒体である手を検出する媒体検出用フォトセンサが設けられている。媒体検出用フォトセンサにより手を検出すると制御手段により高圧空気流発生装置が動作され、高速空気流を手挿入部内に噴射し、手に付着した水分を吹き飛ばす。手の検出が無くなると高圧空気流発生装置は停止される。
【００１２】
媒体検出用フォトセンサは、赤外線発光素子と赤外線受光素子を組合せて光学的に手の検出を行うもので、ＣＰＵを中核として構成されている。ＣＰＵには、商用電源に同期したパルス信号を発生する電源同期パルス発生手段の出力信号が入力される。ＣＰＵは、赤外線発光素子がオフ状態において赤外線受光素子の出力信号を連続的または断続的に確認し、商用電源の半周期または一周期の間でその出力信号の変動の少ないタイミングを決定するタイミング決定手段を有し、このタイミング決定手段により決定されたタイミングで発光素子駆動回路を介して赤外線発光素子をパルス発光させる。また、ＣＰＵには赤外線発光素子の発光タイミングに合せて赤外線受光素子の出力信号を確認し、フォトセンサの状態を判定する判定手段も備えている。
【００１３】
ＣＰＵは、電源同期タイミングに合せ、商用電源の半周期または一周期の間、赤外線発光素子をオフした状態で赤外線受光素子の出力信号を連続的または断続的に確認し、その間で赤外線受光素子の出力信号の変動の少ないタイミングを電源同期パルスからの遅れ時間により決定する。次に、次回以降の電源同期パルスに従って、決定された遅れ時間後に赤外線発光素子を発光させ、赤外線受光素子の出力信号を確認する。つまり、商用電源に同期したノイズや外乱光の少ないタイミングを自動的に検出し、赤外線発光素子の発光タイミングを自動調整するため、発光タイミングの設定に手間がかからず、高い信頼性が得られる
【００１４】
実施の形態１．
図１は、本実施の形態の手乾燥装置の全体を示す断面図、図２は、手検出用フォトセンサのブロック構成図、図３は、手検出用フォトセンサの各部の波形を示す説明図、図４は、手検出用フォトセンサのＣＰＵの動作を示すフローチャートである。本実施の形態の手乾燥装置は、手挿入部１を有する本体箱体２内に組込まれた高圧空気流発生装置３による高圧空気が手挿入口近傍に送られて、手挿入口に続く処理空間としての手挿入部１内に水分を吹き飛ばす手乾燥に関する作動気流としての高速の気流が形成されるものである。本体箱体２は、背面側外殻をなすベース４と、正面側外殻をなす樹脂製の正面パネル５とから構成されている。
【００１５】
手挿入部１は、本体箱体２の正面下部に、正面及び両側面が開放した手の挿抜可能の開放シンク状の凹状空間として形成され、下部構造の水受け部を構成する下顎部６と、上部構造の上顎部７とからなる。下顎部６は、前方に向って下傾していて、その傾斜下端に排水口が設けられている。下顎部６の下方には排水口から滴下する水を貯溜する開放容器構造のドレン容器８が前後方向への抜き差しにより脱着可能に設けられている。ドレン容器８には取外し可能な蓋が設けられている。
【００１６】
高圧空気流発生装置３は、モータ９と、このモータ９によって回転するターボファンにより構成され、この実施の形態では本体箱体２の手挿入部１の直上に、吸気側をベース４側にして取付けられている。高圧空気流発生装置３の吸気側は、本体箱体２の背面側に手挿入部１の奥側背面に近接して縦方向に設けられた下端の開放した通風路に臨んでいて、通風路の下端の空気取入口から、前後方向の抜き差しにより脱着できるエアーフィルタ１０を通じて空気を吸込むことができるようになっている。
【００１７】
高圧空気流発生装置３の吹出口は、円形カップ状のファンケーシングの外周に周方向に間隔を置いて複数個が半径方向に向って開設されている。このファンケーシングの外側はターボファンの回転方向に沿う方向に誘導路を設けた円形カップ状のケーシングにより覆われ、ケーシングの誘導路の端に高圧空気流発生装置３から送られてくる高圧空気を高速の気流に変換し手挿入部１に吹き出すエアーノズル１１が接続されている。エアーノズル１１は、手挿入部１の手挿入口近傍上部に形成された開口部に噴出口を下向きにして組付けられ、手挿入部１内に入れた手に高速の気流を吹き付け、手を擦り合せることなく手に付いた水滴を手の表面から剥離し吹き飛ばす。エアーノズル１１より奥側の上顎部７には、透光窓部材の嵌められた窓があり、窓内に手を検知する手検出用フォトセンサ１２が組込まれている。
【００１８】
手検出用フォトセンサ１２は、赤外線発光素子１３と赤外線受光素子１４を組合せて光学的に手の検出を行うもので、ＣＰＵ１５を中核として構成されている。ＣＰＵ１５には、商用電源に同期した図３に示すようなパルス信号を発生する電源同期パルス発生手段１６の信号が入力される。ＣＰＵ１５は、赤外線発光素子１３がオフ状態において赤外線受光素子１４の出力信号を受光信号増幅回路１７から連続的または断続的に確認し、商用電源の半周期または一周期の間でその出力信号の変動の少ないタイミングを決定するタイミング決定手段を有し、このタイミング決定手段により決定されたタイミング（図３の発光信号）で発光素子駆動回路１８を介して赤外線発光素子１３をパルス発光させる。また、ＣＰＵ１５には赤外線発光素子１３の発光タイミングに合せて赤外線受光素子１４の出力信号を確認し、手検出用フォトセンサ１２の状態を判定する判定手段も備えている。
【００１９】
ＣＰＵ１５は、図４に示すフローチャートに従って動作する。即ち、図４のステップ♯１でセンサ状態の判定実施を行うかどうかの判定を行い、判定実施を行う場合にはステップ♯２に進み、そうでなければステップ♯１を繰り返す。ステップ♯２では、電源同期パルス入力が有るかどうかの判定をし、電源同期パルス入力があれば、ステップ♯３に進み、なければステップ♯２を繰り返す。ステップ♯３では赤外線発光素子１３をオフした状態で赤外線受光素子１４の出力信号を連続的または断続的に確認する受光信号チェックをしてステップ♯４へ進む。ステップ♯４では受光信号チェック期間が商用電源の半周期または一周期の間を経過したかどうかの判定を行い、経過していればステップ♯５へ進み、経過していなければステップ♯３の処理に戻る。ステップ♯５では受光信号チェック期間において出力信号の変動の少ないタイミングを電源同期パルスからの遅れ時間により決定する処理を行い、ステップ♯６へ進む。ステップ♯６では、電源同期パルス入力が有るかどうかの判定をし、電源同期パルス入力があれば、ステップ♯７に進み、なければステップ♯６を繰り返す。ステップ♯７では、電源同期パルスからの遅れ時間が経過したかどうかを判定する。遅れ時間が経過したら、ステップ♯８へ進み、赤外線発光素子１３を発光させる処理をしてステップ♯９へ進み、遅れ時間が経過していなければ、ステップ♯７を繰り返す。ステップ♯９では、センサ状態の判定、即ち、受光信号のチェックを行い、ステップ♯１０に進み、ステップ♯１０で赤外線発光素子１３を発光させる処理をしてステップ♯１へ戻る。
【００２０】
つまりこの手検出用フォトセンサ１２は、電源同期タイミングに合せ、商用電源の半周期または一周期の間、赤外線発光素子１３をオフした状態で赤外線受光素子１４の出力信号を連続的または断続的に確認し、その間で赤外線受光素子１４の出力信号の変動の少ないタイミングを電源同期パルスからの遅れ時間により決定する。次に、次回以降の電源同期パルスに従って、決定された遅れ時間後に赤外線発光素子１３を発光させ、赤外線受光素子１４の出力信号を確認する。つまり、商用電源に同期したノイズや外乱光の少ないタイミングを自動的に検出し、赤外線発光素子１３の発光タイミングを自動調整するため、発光タイミングの設定に手間がかからず、高い信頼性が得られる。
【００２１】
赤外線受光素子１４の出力信号の変動が少ないタイミングの取得を定期的に、例えば手検出用フォトセンサ１２の検出タイミングの直前に毎回行うことで、ノイズの発生源の電源オンオフなどにより、ノイズの発生状態が変化しても、常にノイズや外乱光の影響の少ないタイミングで手検出用フォトセンサ１２の状態を判定することができる。
【産業上の利用可能性】
【００２２】
この発明は、手乾燥装置に限らず発光素子と受光素子を組合せて光学的に媒体の検出を行う媒体検出用フォトセンサを搭載した機器に広く利用できる。
【図面の簡単な説明】
【００２３】
【図１】手乾燥装置の断面図である。（実施の形態１）
【図２】手検出用フォトセンサのブロック構成図である。（実施の形態１）
【図３】手検出用フォトセンサの各部の波形を示す説明図である。（実施の形態１）
【図４】手検出用フォトセンサのＣＰＵの動作を示すフローチャートである。（実施の形態１）
【符号の説明】
【００２４】
１  手挿入部、  ３  高圧空気流発生装置、  １２  手検出用フォトセンサ、  １３  赤外線発光素子、  １４  赤外線受光素子、  １５  ＣＰＵ、  １６  電源同期パルス発生手段。
【図１】
2005203909.tif 000003
【図２】
2005203909.tif 000004
【図３】
2005203909.tif 000005
【図４】
2005203909.tif 000006